(57)【要約】【課題】ＬＥＤなどの発光素子を搭載するケースを提供する。【解決手段】  ＬＥＤ４０を搭載する中空状のケース５０であって、前後方向１０３の両側から着脱可能に組み合わされることにより、ＬＥＤ４０に電気的に接続される一組の被覆電線３０のそれぞれが同一平面上で十字方向に出入りするように立体交差させる内部空間５５を形成する一組のカバー１０および２０を有し、一組のカバー１０および２０は、内部空間５５に対して同一平面上を十字方向に出入りするそれぞれの被覆電線３０を内部空間５５の外側で前後方向１０３に屈曲させて固定する第１の屈曲固定部６１を含むケース５０である。【選択図】図４
2014017249.tif 000002
【特許請求の範囲】
【請求項１】
発光素子を搭載する中空状のケースであって、
第１の方向の両側から着脱可能に組み合わされることにより、前記発光素子に電気的に接続される一組の被覆電線のそれぞれが同一平面上で十字方向に出入りするように立体交差させる内部空間を形成する一組のカバーを有し、
前記一組のカバーは、前記内部空間に対して前記同一平面上を前記十字方向に出入りするそれぞれの前記被覆電線を前記内部空間の外側で屈曲させて固定する屈曲固定部を含む、ケース。
【請求項２】
請求項１において、
前記屈曲固定部は、前記それぞれの被覆電線を前記第１の方向に屈曲させて固定する第１の屈曲固定部を含む、ケース。
【請求項３】
請求項２において、
前記一組のカバーは、一方のカバーおよび他方のカバーを含み、
前記一方のカバーは、前記内部空間を取り囲む第１の周壁と、
前記それぞれの被覆電線が貫通するように前記第１の周壁の４隅のそれぞれを切り欠く第１の溝と、
前記第１の溝の底面に対して前記第１の方向に突出する一組の第１の突起とを含み、
前記他方のカバーは、前記一組の第１の突起の間に配置されるように前記第１の方向に突出する第２の突起を含み、
前記第１の屈曲固定部は、前記一組の第１の突起のそれぞれと前記第２の突起とが互い違いに組み合わされることにより、前記それぞれの被覆電線を前記第１の方向に５回屈曲させて固定している、ケース。
【請求項４】
請求項１において、
前記屈曲固定部は、前記それぞれの被覆電線を前記十字方向に平行な第２の方向に屈曲させて固定する第２の屈曲固定部を含む、ケース。
【請求項５】
請求項４において、
前記一組のカバーは、一方のカバーおよび他方のカバーを含み、
前記一方のカバーは、前記内部空間を取り囲む第１の周壁と、
前記それぞれの被覆電線が貫通するように前記第１の周壁の４隅のそれぞれを切り欠く第１の溝とを含み、
前記他方のカバーは、前記内部空間を取り囲む第２の周壁と、
前記第１の溝と対峙するように前記第２の周壁の４隅のそれぞれを切り欠く第２の溝とを含み、
前記第２の屈曲固定部は、前記第１の溝と前記第２の溝とを組み合わせることにより、前記それぞれの被覆電線を前記第２の方向に２回屈曲させて固定している、ケース。
【請求項６】
請求項１ないし５のいずれかに記載のケースと、
前記ケースに搭載された前記発光素子と、
前記発光素子に電気的に接続された前記一組の被覆電線とを有する発光装置。
【請求項７】
行および列を構成する複数の前記被覆電線と、
請求項１ないし５のいずれかに記載のケースであって、前記複数の被覆電線のそれぞれの交点に取り付けられた前記ケースと、
前記ケースに搭載された前記発光素子とを有する透過型の表示装置。
【請求項８】
行および列を構成する複数の被覆電線と、
前記複数の被覆電線のそれぞれの交点に、前記それぞれの交点において交差する被覆電線の少なくとも被覆を屈曲させることにより前記交差する被覆電線を掴むように取り付けられたケースと、
前記ケースに搭載された発光素子とを有する透過型の表示装置。
【請求項９】
請求項７または８において、
前記複数の被覆電線の一方の端は給電端となり、他方の端はループ状に曲げられて接続部材を通過させる接続端となった全体が方形のネット状の表示体を有する、表示装置。
【請求項１０】
請求項９において、
前記接続端を含む一辺が重なるように配置された複数の前記表示体と、
重なった接続端を交互に通過して隣り合う前記表示体を連結する接続部材とを有する、表示装置。
【請求項１１】
請求項９または１０において、
前記接続部材は棒状の部材である、表示装置。
【請求項１２】
請求項７ないし１１のいずれかに記載の表示装置と、
前記複数の被覆電線に点灯用の電力を供給する制御装置とを有する表示システム。 
【発明の詳細な説明】
【技術分野】
【０００１】
本発明は、発光素子を搭載するケース、このケースを用いた表示装置および表示システムに関するものである。
【背景技術】
【０００２】
特許文献１には、建物の壁面等にＬＥＤ等の発光体を複数取り付け、個々の発光体を所定の発光タイミングで点滅することでイルミネーション発光を行う発光装置において、直線、曲線、ドットマトリクス表示面を構成可能で、しかも、点滅制御する上で最小の発光単位となる発光体の配置位置・配置間隔を調整可能な発光装置を提供することが記載されている。そのため、特許文献１には、ランプケース内にＬＥＤを収容してなる発光体と、板状部材の一方の面に発光体を取付可能にすると共に、他方の面を壁面等へ固定可能にした取付ベースとを備え、取付ベースに、発光体を固定保持する係合部を一定間隔で複数設け、発光体を適宜間隔で着脱自在に取り付けることができるようにし、また、複数の発光体を可撓性ケーブルで接続して発光ユニットを形成し、複数の発光ユニット同士を接続端子により接続するようにし、また、発光体に、取付ベース用の係合部と、壁面等へ直接固定するための固定部とを設けたことが記載されている。
【先行技術文献】
【特許文献】
【０００３】
【特許文献１】特開２００５−３２６４９号公報
【発明の概要】
【発明が解決しようとする課題】
【０００４】
本発明においては、ＬＥＤなどの発光素子を搭載するケースであって、イルミネーションや広告宣伝などの用途に使用される表示装置に用いられるケースを提供することを目的の１つとしている。
【課題を解決するための手段】
【０００５】
本発明の態様の１つは、光素子を搭載する中空状のケースであって、第１の方向の両側から着脱可能に組み合わされることにより、発光素子に電気的に接続される一組の被覆電線のそれぞれが同一平面上で十字方向に出入りするように立体交差させる内部空間を形成する一組のカバーを有し、一組のカバーは、内部空間に対して同一平面上を十字方向に出入りするそれぞれの被覆電線を内部空間の外側で屈曲させて固定する屈曲固定部を含むケースである。
【０００６】
このケースにおいては、一組の被覆電線のそれぞれを内部空間で立体交差させることにより、それぞれの被覆電線を内部空間に対して同一平面上で十字方向に出入りさせることができる。このため、被覆電線のそれぞれを内部空間で同一平面上に配置できる。さらに、十字方向に出入りするそれぞれの被覆電線を内部空間の外側で屈曲させて固定することができる。このため、ケースから十字方向に延びる被覆電線のそれぞれに引張力（外力）が作用しても、芯線を覆う被覆が引き抜かれることを抑制できるので、短絡を防止しやすい。さらに、内部空間の外側でそれぞれの被覆電線の芯線も含めて屈曲固定しやすいので、外力が被覆電線を介して内部空間に伝達することも抑制しやすい。
【０００７】
屈曲固定部は、それぞれの被覆電線を第１の方向に屈曲させて固定する第１の屈曲固定部を含むことが望ましい。一組のカバーは、一方のカバーおよび他方のカバーを含み、一方のカバーは、内部空間を取り囲む第１の周壁と、それぞれの被覆電線が貫通するように第１の周壁の４隅のそれぞれを切り欠く第１の溝と、第１の溝の底面に対して第１の方向に突出する一組の第１の突起とを含み、他方のカバーは、一組の第１の突起の間に配置されるように第１の方向に突出する第２の突起を含み、第１の屈曲固定部は、一組の第１の突起のそれぞれと第２の突起とが互い違いに組み合わされることにより、それぞれの被覆電線を第１の方向に５回屈曲させて固定していることが望ましい。
【０００８】
屈曲固定部は、それぞれの被覆電線を十字方向に平行な第２の方向に屈曲させて固定する第２の屈曲固定部を含むことが望ましい。一組のカバーは、一方のカバーおよび他方のカバーを含み、一方のカバーは、内部空間を取り囲む第１の周壁と、それぞれの被覆電線が貫通するように第１の周壁の４隅のそれぞれを切り欠く第１の溝とを含み、他方のカバーは、内部空間を取り囲む第２の周壁と、第１の溝と対峙するように第２の周壁の４隅のそれぞれを切り欠く第２の溝とを含み、第２の屈曲固定部は、第１の溝と第２の溝とを組み合わせることにより、それぞれの被覆電線を第２の方向に２回屈曲させて固定していることが望ましい。
【０００９】
本発明の異なる態様の１つは、上記ケースと、ケースに搭載された発光素子と、発光素子に電気的に接続された一組の被覆電線とを有する発光装置である。
【００１０】
本発明のさらに異なる態様の１つは、行および列を構成する複数の被覆電線と、上記ケースであって、複数の被覆電線のそれぞれの交点に取り付けられたケースと、ケースに搭載された発光素子とを有する透過型の表示装置である。行および列を構成し、格子状に配置された複数の被覆電線を表示制御用のマトリクス配線（走査線および副走査線）として使用し、それぞれの交点に取り付けられたケースの発光素子の発光のタイミングを制御することにより、複数の発光素子により様々なイメージを表示する透過型の表示装置を提供できる。
【００１１】
上記において開示したケースは、それぞれの交点において交差する被覆電線の少なくとも被覆を屈曲させることにより交差する被覆電線をそれぞれのケースで機械的に掴む（噛む）ように取り付けられる。したがって、被覆電線とケースとの接続強度（機械的強度）を十分に確保でき、被覆電線をケースの支持材として使用できる。このため、被覆電線のみでケース同士が接続されたシンプルな構成で、被覆電線で構成されるネットを通して反対側が見える表示装置を提供できる。
【００１２】
表示装置は、複数の被覆電線の一方の端は給電端となり、他方の端はループ状に曲げられて接続部材を通過させる接続端となった全体が方形のネット状の表示体を有することが望ましい。被覆電線を支持材として使用できるので、被覆電線の給電側と反対側をループ状に加工することにより、被覆電線の一端をループ状に加工した表示体の側端（辺）を、表示体自身を支持したり、他の支持材と物理的（機械的）に接続する接続部材を通すために利用できる。したがって、表示体のループ状の端をのれんのように支持棒に通して表示体を設置できる。
【００１３】
表示装置は、接続端を含む一辺が重なるように配置された複数の表示体と、重なった接続端を交互に通過して隣り合う表示体を連結する接続部材とを有することが望ましい。複数、たとえば２枚の表示体を、それぞれの表示体の接続端を含む一辺が重なるように配置し、重なった接続端を交互に接続部材に通すことにより、隣り合う表示体を連結できる。このため、２枚あるいは４枚の表示体を物理的に繋げて、面積の大きな表示装置を提供できる。また、２枚または４枚の表示装置を前後に重ねて配置し、前後から画像が見える透過型の表示装置を提供できる。さらに、棒状で剛性のある接続部材を使用することにより、２枚または４枚の表示体を中間部分で支持することができ、歪みや撓みの発生しにくい、大型で透過型の表示スクリーンを構成でき、複数の被覆電線に点灯用の電力を供給する制御装置と組み合わせることにより様々な分野に応用できる表示システムを提供できる。たとえば、２枚または４枚の表示体を適当な角度で組み合わせることも可能であり、屋根状の表示装置や、パーティションを兼ねた表示装置を構成したりすることも可能となる。
【図面の簡単な説明】
【００１４】
【図１】表示システムの概略構成を示す図。
【図２】発光装置を各方向から見た図であり、（ａ）は前方から見た斜視図、（ｂ）は後方から見た斜視図、（ｃ）は前方から見た正面図、（ｄ）は右方から見た右側面図。
【図３】発光装置を、発光装置を構成する主なパーツに展開して示す斜視図。
【図４】発光装置のVI−VI断面図（図２（ｃ）のVI−VI断面）。
【図５】発光装置のV−V断面図（図２（ｄ）のV−V断面）。
【図６】異なる発光装置を各方向から見た図であり、（ａ）は下方から見た斜視図、（ｂ）は側方から見た側面図、（ｃ）は前方から見た正面図、（ｄ）は後方から見た背面図。
【図７】異なる発光装置を、発光装置を構成する主なパーツに展開して示す斜視図。
【図８】異なる発光装置のVIII−VIII断面図（図６（ｂ）のVIII−VIII断面）。
【図９】異なる発光装置のIX−IX断面図（図６（ｃ）のIX−IX断面）。
【図１０】異なる表示システムの概略構成を示す図。
【図１１】異なる表示体の概略構成を示す図。
【図１２】異なる表示体同士を連結した様子を示す正面図。
【図１３】異なる表示体の接続端を示す図。
【発明を実施するための形態】
【００１５】
図１に、本発明に係る表示システムの概略構成を示している。表示システム（発光システム）１００は、網状（格子状）に配置された複数の発光装置１を備えた表示体７０を含む透過型の表示装置８０と、表示装置８０のそれぞれの発光装置１の発光のタイミングを制御する制御装置９０とを有する。発光装置１は、ＬＥＤ（発光素子）４０を搭載した中空状のケース５０と、ＬＥＤ４０に電気的に接続された一組の被覆電線３０とを含む。一組の被覆電線３０は、上下方向（縦方向、列方向）１０１に隣接する発光装置１を接続する第１の被覆電線（縦電線）３１と、左右方向（横方向、行方向）１０２に隣接する発光装置１を接続する第２の被覆電線（横電線）３２とを含む。この表示装置８０は、透過型で、各列８個の発光装置１のそれぞれが縦電線３１を介して列方向１０１に直列に接続され、各行８個の発光装置１のそれぞれが横電線３２を介して行方向１０２に直列に接続されることにより、６４個の発光装置１が８行８列の網状（マトリクス状）に配列されたネット状の表示装置であり、以降ではＬＥＤネット８０と称する。
【００１６】
この表示システム１００の制御装置９０は、ＣＰＵ、メモリなどのコンピュータとして汎用的な資源を含み、ＲＡＭなどのメモリに格納されたプログラムに基づいて、それぞれの発光装置１に点灯用の電力を供給し、それぞれの発光装置１の発光を制御する。この制御装置９０は、列ドライバ９５を介して表示装置８０の１列または複数列に対して信号を供給する列制御ユニット９１と、行ドライバ９６を介して表示装置８０の１行または複数行に対して信号を供給する行制御ユニット９２とを含む。この表示システム１００では、列制御ユニット９１により通電された列上の発光装置１のうち行制御ユニット９２により通電された行上の発光装置１を発光（点灯）させることにより、それぞれの発光装置１の発光のタイミングを独立して制御できる。したがって、軽量で、折り畳み可能な可搬式のＬＥＤネット８０に多種多様な文字、模様、画像などを表示（表現）できる。
【００１７】
図２に、発光装置１を各方向から見た図により示しており、図２（ａ）は前方１０３ａから見た斜視図、図２（ｂ）は後方１０３ｂから見た斜視図、図２（ｃ）は前方１０３ａから見た正面図、図２（ｄ）は右方１０２ｂから見た右側面図である。
【００１８】
この発光装置１のケース５０は、前後方向（第１の方向）１０３の両側から着脱可能に組み合わされることにより内部空間５５を形成する有底四角筒状の前方カバー（一方のカバー）１０および後方カバー（他方のカバー）２０を含む。前方カバー１０は、内部空間５５を前方１０３ａから覆う底壁１１と、底壁１１の周囲から後方１０３ｂに起立した（延びた）四角筒状の周壁（第１の周壁）１２とを含む。後方カバー２０は、内部空間５５を後方１０３ｂから覆う底壁２１と、底壁２１の周囲から前方１０３ａに起立した四角筒状の周壁（第２の周壁）２２とを含む。
【００１９】
このケース５０は、後方カバー２０の周壁２２を前方カバー１０の周壁１２の内側に嵌め込むことにより、上下左右を周壁１２および２２により二重に取り囲まれた内部空間５５が形成されている。このため、ケース５０に対する外部の衝撃から内部空間５５を保護しやすい。前方カバー１０は、底壁１１の中央が前方向１０３ａに向けてドーム状に盛り上がった透光性の光拡散部（レンズ部）１１ａを含み、内部空間５５に収容されたＬＥＤ４０から照射された光はレンズ部１１ａを介して外部に向けて拡散放射される。後方カバー２０は、底壁２１の中央が前後方向１０３に貫通した開口２１ａを含み、内部空間５５でＬＥＤ４０などから発生した熱を開口２１ａから外部に放熱できる。
【００２０】
この発光装置１では、ケース５０の上下左右の４隅５０ａ〜５０ｄのそれぞれから縦電線３１および横電線３２が十字方向（上下左右方向）に出入りしている。縦電線３１および横電線３２は、互いに直交する方向から第１の高さ５１で内部空間５５に引き込まれ、互いに直交する方向に向けて同じ第１の高さ５１で内部空間５５から引き出されている。すなわち、縦電線３１および横電線３２は、内部空間５５に対して同一平面上を十字方向に出入りしている。なお、本明細書において第１の高さ５１は、ケース５０の厚み方向である前後方向１０３の距離を表し、本例では前方カバー１０の底壁１１に対する高さをいう。
【００２１】
図３に、発光装置１を、発光装置１を構成する主なパーツに展開して斜視図により示している。前方カバー１０は、周壁１２の４隅のそれぞれを対角方向に押し広げるように切り欠き、内部空間５５と外部とを連通させる溝（第１の溝）１３を含む。縦電線３１および横電線３２は、周壁１２の四方の溝１３の底面１３ａに沿って配置される。発光装置１は、さらに、前方カバー１０の底壁１１に近接して配置されるＬＥＤ基板４１と、ＬＥＤ基板４１の前方１０３ａの側の面４１ａに搭載されたチップ型のＬＥＤ４０と、ＬＥＤ基板４１の後方１０３ｂの側の面４１ｂに搭載された圧接端子４２と、圧接端子４２を後方１０３ｂから覆う端子カバー４３とを含む。ＬＥＤ４０および圧接端子４２は、ＬＥＤ基板４１を挟んで電気的に接続されている。後方カバー２０は、周壁２２の４隅のそれぞれが前方カバー１０の４隅の溝１３に嵌め合うように対角方向に突出した角部２８と、周壁２２の４辺のそれぞれの一部がＬＥＤ基板４１を押さえるように前方１０３ａに向けて突出したストッパー２９とを含む。
【００２２】
この発光装置１では、端子カバー４３を用いて縦電線３１および横電線３２のそれぞれを圧接端子４２の凹状の切り欠き４２ａに嵌め込み（押し込み）、切り欠き４２ａの圧接刃４２ｂが被覆電線３１および３２のそれぞれの被覆３９を切り込み被覆３９に覆われた芯材（芯線）３８に接触することにより、被覆電線３１および３２のそれぞれとＬＥＤ４０とを電気的に接続できる。このため、半田付けによる接続を省略できる。
【００２３】
さらに、この発光装置１では、互いに直交する方向に延びる縦電線３１および横電線３２のそれぞれをケース５０の内部空間５５で立体的に交差させることができる。縦電線３１は、横電線３２と交差する際に、交差前の第１の高さ５１から一旦高度を下げるように前方１０３ａに撓んでから交差後に第１の高さ５１に戻される。横電線３２は、縦電線３１と交差する際に、交差前の第１の高さ５１から一旦高度を上げるように後方１０３ｂに撓んでから交差後に第１の高さ５１に戻される。このため、縦電線３１および横電線３２のそれぞれを前後方向（第１の方向）１０３の逆向きに撓ませた状態で立体交差させることにより、縦電線３１および横電線３２が内部空間５５で同一平面上を十字方向に交わるように配置できる。したがって、縦電線３１および横電線３２のそれぞれとＬＥＤ基板４１との間隔を揃えやすく、使用する圧接端子４２のサイズや規格（種類）を統一化しやすい。このため、部品点数を削減しやすく、低コスト化を図りやすい。
【００２４】
図４に、発光装置１をVI−VI断面図（図２（ｃ）のVI−VI断面）により示している。図５に、発光装置１をV−V断面図（図２（ｄ）のV−V断面）により示している。前方カバー１０は、周壁１２の４隅に設けられた溝１３の底面１３ａに対して後方１０３ｂに向けて突出した一組の第１の突起１４（１４ａ、１４ｂ）と、底面１３ａの第１の突起１４ａおよび１４ｂに挟まれた部分を前後方向１０３に貫通する開口１５とを含む。後方カバー２０は、第１の突起１４ａおよび１４ｂの間に配置されるように周壁２２の４隅に設けられた角部２８の一部が前方１０３ａに向けて突出した第２の突起２４を含む。
【００２５】
この発光装置１では、第１の突起１４ａおよび１４ｂのそれぞれと第２の突起２４とを互い違いに嵌め合わせることにより、ケース５０の４隅５０ａ〜５０ｄのそれぞれで被覆電線３０のそれぞれを前後方向（第１の方向）１０３に５回屈曲させて固定することができる。すなわち、この発光装置１は、内部空間５５に対して同一平面上を十字方向に出入りするそれぞれの被覆電線３０を、芯材３８を含めて内部空間５５の外側で第１の方向１０３に屈曲させて固定する第１の屈曲固定部（屈曲固定部）６１を含む。このため、被覆電線３０のそれぞれを、芯材３８を含めて内部空間５５の外側の４か所で強固に固定できる。したがって、被覆電線３０の被覆３９が内部空間５５から引き抜かれることを抑制できる。このため、内部空間５５で芯材３８の露出部分が拡大することを抑制でき、被覆電線３０がショートすることを抑制できる。
【００２６】
さらに、この発光装置１のケース５０は、表示システム１００の行および列を構成する複数の被覆電線３０のそれぞれの交点に取り付けられ、それぞれの交点において立体交差するそれぞれの被覆電線３０の少なくとも被覆３９を屈曲固定させることにより、十字方向に立体交差する被覆電線３０のそれぞれを掴むように取り付けられている。このため、それぞれ交点において十字方向に立体交差する被覆電線３０の被覆３９を屈曲固定することにより、ケース５０の４隅５０ａ〜５０ｄのそれぞれで機械的に掴む（噛む）ことができる。したがって、被覆電線３０とケース５０との接続強度（機械的強度）を十分に確保でき、被覆電線３０をケース５０の支持材として使用できる。このため、被覆電線３０のみでケース５０同士が接続されたシンプルな構成で、被覆電線３０で構成されるＬＥＤネット８０を通して反対側が見える透過型の表示装置を提供できる。
【００２７】
さらに、この発光装置１では、内部空間５５から十字方向に延びるそれぞれの被覆電線３０を、ケース５０の４隅５０ａ〜５０ｄのそれぞれで屈曲固定できる。このため、ケース５０から四方に延びる被覆電線３０のそれぞれに引張力（外力）が作用した場合や、それらの外力が合成されケース５０に対して放射状に外力が作用した場合であっても、外力をケース５０の十字方向にバランスよく分散させやすく、内部空間５５の外側のケース５０の４隅５０ａ〜５０ｄのそれぞれで外力を効率よく吸収または遮断できる。したがって、外力が被覆電線３０を介して内部空間５５に伝達することを抑制でき、ＬＥＤ４０やＬＥＤ基板４１などへの外力の影響を低減できる。
【００２８】
さらに、この発光装置１では、内部空間５５でそれぞれの被覆電線３０を立体交差させ、内部空間５５の外側でそれぞれの被覆電線３０を屈曲固定させている。このため、ＬＥＤ４０やＬＥＤ基板４１と被覆電線３０との接続部分などをケース５０に対して非拘束の状態にできる。したがって、ケース５０に対して外部から直に衝撃が加わった場合であっても、内部空間５５が緩衝領域となって外力や振動などを吸収しやすい。このため、内部空間５５に収容された電子部品やそれらの接続箇所などを保護しやすい。
【００２９】
さらに、この発光装置１では、内部空間５５の外側でそれぞれの被覆電線３０を拘束し、内部空間５５でそれぞれの被覆電線３０を拘束させずにフレキシブルに交差させることができる。このため、縦電線３１および横電線３２のそれぞれを前後方向（第１の方向）１０３の逆向きに撓ませた状態で立体交差させることができる。したがって、周壁１２および２２を嵌め合わせる際に、それぞれの被覆電線３０が屈曲するのに伴って外側に引っ張られた場合であっても、縦電線３１および横電線３２のそれぞれがストレートに伸びきることを抑制できる。このため、内部空間５５で被覆電線３０同士が同一平面上で干渉して被覆３９が摩耗したり、短絡したりすることを抑制できる。
【００３０】
図６に、異なる発光装置１ａを各方向から見た図により示しており、図６（ａ）は下方１０１ｂから見た斜視図、図６（ｂ）は側方から見た側面図、図６（ｃ）は前方１０３ａから見た正面図、図６（ｄ）は後方１０３ｂから見た背面図である。
【００３１】
この発光装置１ａのケース５０は、前後方向（第１の方向）１０３の両側から着脱可能に組み合わされることにより内部空間５５を形成するドーム状の前方カバー１０および後方カバー２０を含む。前方カバー１０は、内部空間５５を取り囲む湾曲した周壁（第１の周壁）１２と、周壁１２の前方開口１５から前方１０３ａに向けて突出した円筒状の周壁１１とを含む。後方カバー２０は、内部空間５５を後方１０３ｂから覆う底壁２１と、底壁２１の周囲から前方１０３ａに向けて湾曲した周壁（第２の周壁）２２とを含む。前方カバー１０の周壁１１の内側には、砲弾型のＬＥＤ４０が嵌め込まれている。この発光装置１ａも、ケース５０の上下左右の４隅５０ａ〜５０ｄのそれぞれから縦電線３１および横電線３２が、内部空間５５に対して同一平面上を十字方向に出入りしている。
【００３２】
図７に、発光装置１ａを、発光装置１ａを構成する主なパーツに展開して斜視図により示している。図８に、発光装置１ａをVIII−VIII断面図（図６（ｂ）のVIII−VIII断面）により示している。図９に、発光装置１ａをIX−IX断面図（図６（ｃ）のIX−IX断面）により示している。
【００３３】
このケース５０は、周壁１２の端面１２ａと周壁２２の端面２２ａとを対峙させて、端面１２ａに設けられた２つの凸部１２ｂを端面２２ａに設けられた２つの凹部２２ｂに嵌め込むことにより、前方カバー１０および後方カバー２０により取り囲まれた内部空間５５が形成されている。
【００３４】
前方カバー１０は、周壁１２の４隅のそれぞれを切り欠き、内部空間５５と外部とを連通させる４つの溝（第１の溝）１３（１３ａ〜１３ｄ）を含む。後方カバー２０は、周壁２２の４隅のそれぞれを切り欠き、内部空間５５と外部とを連通させる４つの溝（第２の溝）２３（２３ａ〜２３ｄ）と、底壁２１に対して前方１０３ａに向けて突出した隔壁２５とを含む。ＬＥＤ４０は、２つの極端子を縦電線３１および横電線３２の露出した芯材３８に半田付けすることにより接続されている。
【００３５】
縦電線３１および横電線３２は、前方カバー１０の４つの溝１３ａ〜１３ｄのそれぞれと、後方カバー２０の４つの溝２３ａ〜２３ｄのそれぞれとの間に挟まれるように配置される。この発光装置１ａでは、内部空間５５と外部とをストレートに連通する後方カバー２０の下方１０１ｂの溝２３ｂおよび右方１０２ｂの溝２３ｄのそれぞれと、内部空間５５と外部とを２回屈曲（湾曲、カーブ）させて連通する前方カバー１０の下方１０１ｂの溝１３ｂおよび右方１０２ｂの溝１３ｄのそれぞれとを組み合わせることにより、被覆電線３０を左右方向１０２または上下方向１０１に２回屈曲させて固定することができる。同様に、内部空間５５と外部とを２回屈曲させて連通する後方カバー２０の上方１０１ａの溝２３ａおよび左方１０２ａの溝２３ｃのそれぞれと、内部空間５５と外部とをストレートに連通する前方カバー１０の上方１０１ａの溝１３ａおよび左方１０２ａの溝１３ｃのそれぞれとを組み合わせることにより、被覆電線３０を左右方向１０２または上下方向１０１に２回屈曲させて固定することができる。
【００３６】
したがって、この発光装置１ａでは、溝１３ａ〜１３ｄのそれぞれと溝２３ａ〜２３ｄのそれぞれとを組み合わせることにより、ケース５０の４隅５０ａ〜５０ｄのそれぞれで被覆電線３０のそれぞれを十字方向に平行な第２の方向（上下方向１０１、左右方向１０２）に２回屈曲させて固定することができる。すなわち、この発光装置１ａは、内部空間５５に対して同一平面上を十字方向に出入りするそれぞれの被覆電線３０を、芯材３８を含めて内部空間５５の外側で十字方向に平行な第２の方向１０１、１０２に屈曲させて固定する第２の屈曲固定部（屈曲固定部）６２を含む。このため、被覆電線３０のそれぞれを、芯材３８を含めて内部空間５５の外側の４か所で強固に固定できる。
【００３７】
さらに、この発光装置１ａでは、後方カバー２０の隔壁２５により内部空間５５を区画できる。このため、縦電線３１および横電線３２のそれぞれを隔壁２５を挟んで配置させることにより、露出した芯材３８同士が接触してショートすることを抑制できる。なお、その他の構成については上記実施形態と共通であるため、共通の符号を付して説明を省略する。以降においても同様である。
【００３８】
図１０に、異なる表示システム１００ａの概略構成を示している。図１１に、表示体７０の概略構成を示している。図１２に、表示体７０同士を連結した様子を前方１０１ａから見た正面図により示している。図１３に、表示体７０の接続端７８を拡大した図により示している。
【００３９】
表示システム１００ａの表示装置８０は、方形ネット状の４つの表示体７０（７０ａ〜７０ｄ）を含むスクリーン７５と、隣接する表示体７０同士を連結する樹脂製のパイプ（接続部材）７６とを有する。
【００４０】
スクリーン７５は、４つの表示体７０ａ〜７０ｄのそれぞれが同一平面上に配置された全体が方形状で、大型の表示スクリーンである。表示体７０ａ〜７０ｄのそれぞれは、複数の被覆電線３０の、スクリーン７５の外周７５ａの側の端部が給電端７７となり、残りの端部、すなわち他の表示体７０と隣接する側の端部がループ状に加工されてパイプ７６を通過させるための接続端７８となっている。すなわち、表示体７０の４辺のうち、スクリーン７５の外周７５ａの側の２辺が給電端（給電辺）７７となり、残りの２辺が接続端（接続辺）７８となっている。このため、上下左右に隣接する表示体７０同士を、それぞれの接続端７８を束ねてパイプ７６を挿入することにより物理的に繋ぎ合わせることができる。したがって、それぞれの表示体７０を上下左右に連結して巨大なスクリーン７５を形成できる。さらに、被覆電線３０がケース５０の４隅５０ａ〜５０ｄで強固に固定されているため、上下左右に隣接する表示体７０の接続端７８同士の引張力に対して、スクリーン７５および表示装置８０を機械的、電気的および形状的にも保護しやすい。
【００４１】
それぞれの表示体７０は、複数の発光装置１のそれぞれが縦横（上下左右）に第１の距離７１を隔てて等間隔に網状（マトリクス状）に配列されている。このため、隣接する表示体７０の接続端７８同士を連結することにより、隣接する表示体７０同士を第１の距離７１で連結できる。したがって、それぞれの表示体７０を連結する際に、発光装置１の配列ピッチが分断されたり歪んだりすることなく、全体にわたり発光装置１が同一のピッチで配列されたスクリーン７５を提供できる。
【００４２】
さらに、このスクリーン７５では、上下左右の中央に配置されたパイプ７６をヒンジとして折り畳むことにより、前後方向１０３に同じ大きさのスクリーンを重ねて配置できる。このため、前後方向１０３の両側で同じ画像あるいは異なる画像を表示できる表示システム１００ａを提供できる。なお、接続部材７６は、剛性のある棒状の部材だけでなく、柔軟性のある紐状の部材などであってもよい。また、上記の表示システム１００ａにおいて、ＬＥＤ４０を搭載するケースは、ケース５０に限定されず、複数の被覆電線３０のそれぞれの交点に、それぞれ交点において交差する被覆電線３０の少なくとも被覆３９を屈曲させることにより交差する被覆電線３０を掴むように取り付けられたケースであってもよい。
【符号の説明】
【００４３】
１、１ａ  発光装置
１０  一方のカバー（前方カバー）
２０  他方のカバー（後方カバー）
５０  ケース
１００、１００ａ  表示システム 
【図１】
2014017249.tif 000003
【図２】
2014017249.tif 000004
【図３】
2014017249.tif 000005
【図４】
2014017249.tif 000006
【図５】
2014017249.tif 000007
【図６】
2014017249.tif 000008
【図７】
2014017249.tif 000009
【図８】
2014017249.tif 000010
【図９】
2014017249.tif 000011
【図１０】
2014017249.tif 000012
【図１１】
2014017249.tif 000013
【図１２】
2014017249.tif 000014
【図１３】
2014017249.tif 000015